(57)【要約】【課題】一例として、より消費エネルギを低減することができる光学式入力操作装置を得る。【解決手段】実施形態にかかる光学式入力操作装置は、一例として、発光部と、受光部と、発光制御部と、処理部と、を備える。発光部は、光を発光する。受光部は、発光部から発光された光の対象物での反射光を受光する。発光制御部は、受光部での反射光の受光状況に応じて、第一の周期で発光部が発光する状態と、第一の周期より長い第二の周期で発光部が発光する状態とが切り替わるよう、発光部を制御する。処理部は、受光部での受光に対応した処理を実行する。【選択図】図７
2015041910.tif 000002
【特許請求の範囲】
【請求項１】
光を発光する発光部と、
前記発光部から発光された光の対象物での反射光を受光する受光部と、
前記受光部での前記反射光の受光状況に応じて、第一の周期で前記発光部が発光する状態と、前記第一の周期より長い第二の周期で前記発光部が発光する状態とが切り替わるよう、前記発光部を制御する発光制御部と、
前記受光部での受光に対応した処理を実行する処理部と、
を備えた、光学式入力操作装置。
【請求項２】
前記発光制御部は、前記受光部で第一の条件を満たす受光が行われた場合に、前記発光部が前記第二の周期で発光している状態から前記第一の周期で発光する状態に切り替える、請求項１に記載の光学式入力操作装置。
【請求項３】
前記発光制御部は、前記受光部で第二の条件を満たす受光が行われない状態が第一の時間継続した場合に、前記発光部が前記第一の周期で発光している状態から前記第二の周期で発光する状態に切り替える、請求項１または２に記載の光学式入力操作装置。
【請求項４】
前記発光部と当該発光部から発光された光の反射光を受光する前記受光部との複数のペアを備え、
前記発光制御部は、少なくとも一つの前記ペアの前記受光部で第三の条件を満たす受光が行われない状態が第二の時間継続した場合に、当該一つペアの前記発光部が第二の周期で発光するとともに他の前記ペアの前記発光部の発光を停止する、請求項１〜３のうちいずれか一つに記載の光学式入力操作装置。
【請求項５】
前記処理部による処理結果に応じた出力を実行する出力部と、
前記出力部への電源電力の供給と供給の停止とを切り替える電源制御部と、
を備え、
前記電源制御部は、少なくとも一つの前記ペアの前記受光部で第三の条件を満たす受光が行われない状態が第二の時間継続した場合に、前記出力部への電源電力の供給を停止する、請求項４に記載の光学式入力操作装置。
【請求項６】
光を発光する発光部と、
前記発光部から発光された光の対象物での反射光を受光する受光部と、
前記受光部での前記反射光の受光状況に応じて、第一の周期で前記発光部が発光する状態と、前記第一の周期より長い第二の周期で前記発光部が発光する状態とが切り替わるよう、前記発光部を制御する発光制御部と、
前記受光部での受光に対応した処理を実行する処理部と、
前記処理部による処理結果に応じた出力を実行する出力部と、
を備えた、電子機器。
【請求項７】
被測定流体の流量を検出する検出部と、
光を発光する発光部と、
前記発光部から発光された光の対象物での反射光を受光する受光部と、
前記受光部での前記反射光の受光状況に応じて、第一の周期で前記発光部が発光する状態と、前記第一の周期より長い第二の周期で前記発光部が発光する状態とが切り替わるよう、前記発光部を制御する発光制御部と、
前記検出部で検出された流量を出力する出力部と、
前記受光部での受光に対応した出力を行うよう、前記出力部を制御する出力制御部と、
を備えた、電磁流量計。
【発明の詳細な説明】
【技術分野】
【０００１】
本発明の実施形態は、光学式入力操作装置、電子機器、および電磁流量計に関する。
【背景技術】
【０００２】
従来、発光部から発光された光をオペレータの手指等の反射物で反射させ、その反射光を受光部が検出する光学式入力操作装置が知られている。
【先行技術文献】
【特許文献】
【０００３】
【特許文献１】特開２００７−８８６５９号公報
【発明の概要】
【発明が解決しようとする課題】
【０００４】
この種の光学式入力操作装置では、一例としては、より消費エネルギを低減することができれば、好ましい。
【課題を解決するための手段】
【０００５】
実施形態にかかる光学式入力操作装置は、一例として、発光部と、受光部と、発光制御部と、処理部と、を備える。発光部は、光を発光する。受光部は、発光部から発光された光の対象物での反射光を受光する。発光制御部は、受光部での反射光の受光状況に応じて、第一の周期で発光部が発光する状態と、第一の周期より長い第二の周期で発光部が発光する状態とが切り替わるよう、発光部を制御する。処理部は、受光部での受光に対応した処理を実行する。
【図面の簡単な説明】
【０００６】
【図１】図１は、実施形態にかかる電磁流量計の一例を示す斜視図である。
【図２】図２は、実施形態にかかる電磁流量計に含まれる表示装置の一例を示す正面図である。
【図３】図３は、実施形態にかかる光学式入力操作装置の一例を示す回路図である。
【図４】図４は、実施形態にかかる光学式入力操作装置の制御回路の一例を示すブロック図である。
【図５】図５は、実施形態にかかる光学式入力操作装置による処理の一例を示すフローチャートである。
【図６】図６は、実施形態にかかる光学式入力操作装置の操作の一例を示す説明図である。
【図７】図７は、実施形態にかかる光学式入力操作装置の通常モードから操作ロックモードへの移行時における操作の一例を示す説明図である。
【図８】図８は、実施形態にかかる光学式入力操作装置の操作ロックモードから通常モードへの復帰時における操作の一例を示す説明図である。
【図９】図９は、実施形態にかかる光学式入力操作装置のスリープモードから通常モードへの復帰時における操作の一例を示す説明図である。
【発明を実施するための形態】
【０００７】
以下、図面を参照して、実施形態について詳細に説明する。なお、以下に示される実施形態の構成、ならびに当該構成によってもたらされる作用および結果（効果）は、あくまで一例である。本発明は、以下の実施形態に開示される構成以外によっても実現可能であるとともに、基本的な構成によって得られる種々の効果（派生的な効果も含む）を得ることが可能である。
【０００８】
本実施形態では、一例として、図１に示されるように、電磁流量計１は、検出器２と、変換器３（表示器、電子機器）と、を備える。検出器２は、内部に被測定流体が流れる流路９ａが設けられた管体９と、検出部１４（図３参照）と、を有する。検出部１４は、被測定流体に接触する一対の電極部（図示されず）と、管体９の収容部７に収容された励磁コイル（図示されず）と、を有する。一対の電極部を結ぶ線は、管体９（測定管４）の軸心（以下、単に軸心と記す）と略直交している。また、励磁コイルは、一対の電極部を結ぶ線と軸心とに直交する方向に磁界を生成する。変換器３は、表示装置１２や、入力操作装置３０（光学式入力操作装置、図３参照）等が設けられた筐体１０と、各部を制御する制御回路１５（図３参照）と、を有する。検出部１４と制御回路１５との間には、コントローラ１９が設けられている。また、変換器３は、連結部８を介して検出器２に固定されている。連結部８の内部には、変換器３（制御回路１５）と検出器２（検出部１４）とを電気的に接続する配線（ハーネス、コード）等が設けられている。
【０００９】
電磁流量計１では、収容部７に収容された励磁コイルによって管体９の内部に磁界が生成され、その磁界と直交する方向に被測定流体が流れると、磁界と被測定流体とに直交する方向に起電力が発生する。被測定流体によって発生した起電力は、検出部１４の一対の電極部によって検出される。そして、一対の電極部から起電力に応じた検出信号が制御回路１５に送られる。制御回路１５は、検出信号から起電力の大きさ（値）を算出（検出）する。そして、制御回路１５は、算出した起電力の大きさから流量を算出し、表示装置１２（表示画面１２ａ）にその流量を表示させる。
【００１０】
管体９は、一例として、図１に示されるように、測定管４（管）と、フランジ５と、ライニング６と、を有する。管体９は、被測定流体が流れる別の管体（測定対象の管体、図示されず）と連結されうる。検出部１４および制御回路１５は、別の管体から管体９へ流入した被測定流体の流量を検出する。
【００１１】
測定管４は、一例として、円筒状（管状、円管状）に構成されている。収容部７（励磁コイル）やフランジ５等は、測定管４の外面４ａに設けられている。一対の電極部や、ライニング６等は、測定管４の内面に設けられている。
【００１２】
表示装置１２は、表示画面１２ａを有する。表示装置１２は、表示画面１２ａが視認可能な状態に、筐体１０に支持されている。本実施形態では、一例として、表示装置１２は、筐体１０内に収容されるとともに、パネル１１で覆われている。パネル１１には、透明（例えば無色透明）な覆部１１ａ（透過部、透光部、窓）が設けられている。表示装置１２の表示画面１２ａは、覆部１１ａを介して視認される。また、パネル１１には、覆部１１ａとは外れた位置に、覆部１１ｂ，１１ｃ，１１ｄ（透過部、透光部、窓、図２参照）が設けられている。これらの覆部１１ｂ〜１１ｄからは、筐体１０内に設けられた発光素子２５（図３参照）からの光が出射される。オペレータが手指Ｆ（反射物、図６参照）等で覆部（例えば覆部１１ｂ）を覆うと、発光素子２５から発光され覆部１１ｂを通った光が当該手指Ｆ等で反射し、再び覆部１１ｂを通って、筐体１０内に設けられた受光素子２６（図３参照）で受光される。変換器３（入力操作装置３０）では、この受光素子２６での受光に基づいた入力操作が行われる。表示装置１２は、例えば、液晶ディスプレイ（ＬＣＤ，liquid  crystal  display）等である。
【００１３】
また、表示装置１２の表示画面１２ａ（パネル１１）とは反対側には、照明部１３（例えば、バックライト、図３参照）が設けられている。表示装置１２ならびに照明部１３は、それぞれコントローラ１７，１８を介して制御回路１５と接続されている。表示装置１２ならびに照明部１３の電力は、電源回路１６からコントローラ１７，１８を介して供給される。コントローラ１７，１８は、それぞれ、電源回路１６からの電力の供給と遮断とを切り替えるスイッチ（図示されず）を有している。制御回路１５は、これらスイッチを制御して、電源回路１６から表示装置１２ならびに照明部１３への電源電力の供給および遮断を切り替えることができる。表示装置１２ならびに照明部１３は、出力部の一例である。
【００１４】
入力操作装置３０（光学式入力操作装置）は、一例として、図３に示されるように、制御回路１５や、駆動回路２０、発光回路２１、受光回路２２、電源回路１６等を有する。制御回路１５、駆動回路２０、発光回路２１、受光回路２２等は、例えば、回路基板（図示されず）に実装されている。電源回路１６は、例えば、商用電源または電池である。発光回路２１は、発光素子２５（発光部）を有する。発光素子２５は、例えば、赤外線ＬＥＤ（light  emitting  diode）である。受光回路２２は、受光素子２６（受光部）や、抵抗２３、アンプ２４等を有する。受光素子２６は、例えば、フォトトランジスタである。駆動回路２０は、制御回路１５によって制御され、発光素子２５の発光および発光停止を切り替える。
【００１５】
また、入力操作装置３０は、複数（本実施形態では、一例として三つ）のスイッチＳＷ１〜ＳＷ３（入力操作部）を有する。第一のスイッチＳＷ１、第二のスイッチＳＷ２、および第三のスイッチＳＷ３は、それぞれ一組（ペア）ずつの発光素子２５および受光素子２６を有する。覆部１１ｂ，１１ｃ，１１ｄは、各スイッチＳＷ１〜ＳＷ３（の発光素子２５ならびに受光素子２６）のそれぞれに対応して設けられている。
【００１６】
制御回路１５は、図４に示されるように、制御部４０（例えば、ＣＰＵ（central  processing  unit））や、情報記憶部５１等を有する。情報記憶部５１は、例えばＲＯＭ（read  only  memory）やＲＡＭ（random  access  memory）等の主記憶装置（図示されず）と、例えばフラッシュメモリ等の補助記憶装置（図示されず）と、を有する。制御部４０と情報記憶部５１とは、バスを介して電気的に接続されている。また、制御部４０は、ハードウェアとソフトウェア（プログラム）との協働により、図４に示されるような、発光制御部４１や、受光検知部４２、第一の入力検知部４３、第二の入力検知部４４、第一の計時部４５、第二の計時部４６、処理部４７、電源制御部４８、出力制御部４９、情報設定部５０等として機能（動作）することができる。制御部４０は、情報記憶部５１（例えばＲＯＭやフラッシュメモリ等）にインストールされたプログラムを読み出して、当該プログラムにしたがって処理を実行する。すなわち、プログラムには、一例としては、図４に示される制御部４０の各ブロックに対応したモジュールが含まれている。出力制御部４９は、受光素子２６での受光に応じた検出結果等の出力が行われるよう、表示装置１２（出力部）を制御する。情報設定部５０は、入力操作に応じた情報を、情報記憶部５１に記憶する（設定する）。
【００１７】
本実施形態では、一例として、入力操作装置３０は、発光素子２５（発光部）が第一の周期Ｔ１（図６参照、一例としては２００ｍｓ）で発光する状態と、第一の周期Ｔ１より長い第二の周期Ｔ２（図７参照、一例としては１ｓ）で発光する状態と、を切り替えることができる。よって、本実施形態によれば、第二の周期Ｔ２で発光素子２５が発光することができるため、常時第一の周期Ｔ１で発光素子２５が発光する構成に比べて、消費電力が低減されやすい。なお、制御回路１５は、受光素子２６での反射光の受光状況に応じて発光回路２１を制御し、第一の周期Ｔ１で発光素子２５が発光する状態と、第二の周期Ｔ２で発光素子２５が発光する状態と、を切り替える。
【００１８】
また、本実施形態では、一例として、入力操作装置３０は、通常モード、操作ロックモード、およびスリープモードの三つのモードで動作することができる。通常モードは、図６に示されるように、発光素子２５が第一の周期Ｔ１で発光し、制御回路１５が受光素子２６での反射光の受光に応じた入力操作を受け付けるモード、言い換えれば、制御回路１５が受光素子２６での反射光の受光に対応した入力処理を実行するモードである。すなわち、通常モードは、入力受付モードあるいは入力操作モードとも称されうる。
【００１９】
操作ロックモードは、図７，８に示されるように、発光素子２５が第二の周期Ｔ２で発光するとともに、受光素子２６が反射光を受光した場合にあっても、制御回路１５は受光素子２６での反射光の受光に応じた通常の入力操作（通常モードでの入力操作）を受け付けず、すなわち、制御回路１５は受光素子２６での反射光の受光に応じた入力処理を実行せず、かつ、受光素子２６での受光が所定の条件（第一の条件）を満たした場合に通常モードへ移行するモードである。
【００２０】
スリープモードは、図９に示されるように、操作ロックモードと同様に、発光素子２５が第二の周期Ｔ２で発光するとともに、受光素子２６が反射光を受光した場合にあっても、制御回路１５は受光素子２６での反射光の受光に応じた通常の入力操作（通常モードでの入力操作）を受け付けず、すなわち、制御回路１５は受光素子２６での反射光の受光に応じた入力処理を実行せず、かつ、受光素子２６での受光が所定の条件（第一の条件）を満たした場合に通常モードへ移行するモードである。操作ロックモードとスリープモードとの違いの一つは、表示装置１２あるいは照明部１３（電力を消費する装置、電気部品、電子部品等）への電源電力の供給の有無である。スリープモードでは、表示装置１２および照明部１３のうち少なくとも一方（本実施形態では、一例として両方）に電源電力が供給されず、操作ロックモードでは、表示装置１２および照明部１３の双方に電源電力が供給される。違いのもう一つは、発光素子２５の発光の有無である。スリープモードでは、制御回路１５は、複数のスイッチＳＷ１〜ＳＷ３のうちいずれかのスイッチ（本実施形態では、一例として第一のスイッチＳＷ１のみ）を第二の周期Ｔ２で発光させ、残りのスイッチ（本実施形態では、一例として第二のスイッチＳＷ２ならびに第三のスイッチＳＷ３）の発光を停止することができる。このように、本実施形態によれば、操作ロックモードあるいはスリープモードが設定されているため、当該操作ロックモードあるいはスリープモードが設定されていない構成に比べて、消費電力が低減されやすい。
【００２１】
ここで、図５が参照されて、入力操作装置３０における処理の一例が説明される。まず、制御部４０は、入力操作装置３０を、通常モードに設定する（Ｓ１０）。Ｓ１０では、制御部４０は、発光制御部４１として機能し、各スイッチＳＷ１〜ＳＷ３の発光素子２５が第一の周期Ｔ１で発光するよう、各スイッチＳＷ１〜ＳＷ３の発光回路２１を制御する。また、表示装置１２あるいは照明部１３への電源電力の供給が停止されていた場合、制御部４０は、電源制御部４８として機能し、電源回路１６から表示装置１２および照明部１３への電源電力の供給が開始（再開）するよう、コントローラ１７，１８を制御する。また、第二のスイッチＳＷ２ならびに第三のスイッチＳＷ３の発光素子２５の発光が停止していた場合、制御部４０は、電源制御部４８として機能し、第二のスイッチＳＷ２と第三のスイッチＳＷ３との発光素子２５が発光するよう、当該スイッチＳＷ２，ＳＷ３の発光回路２１を制御する。
【００２２】
次に、制御部４０は、受光検知部４２として機能し、第一のスイッチＳＷ１、第二のスイッチＳＷ２、および第三のスイッチＳＷ３のいずれかの受光素子２６（受光部）が反射光を受光したことを検知する（Ｓ１１）。受光検知部４２が、第一のスイッチＳＷ１、第二のスイッチＳＷ２、および第三のスイッチＳＷ３のうちいずれかの受光素子２６で反射光が受光されたことを検知した場合（Ｓ１１でＹｅｓ）、制御部４０は、第一の入力検知部４３として機能し、Ｓ１１で受光した受光素子２６が所定回数（例えば３回）連続して受光したことを検知する（Ｓ１２）。Ｓ１２で、受光素子２６が反射光を所定回数連続して受光したことが検知された場合（Ｓ１２でＹｅｓ）、制御部４０は、入力操作に基づく処理（演算、制御）を実行する（Ｓ１３）。Ｓ１３では、各スイッチＳＷ１〜ＳＷ３に設定された機能に基づく処理が実行される。具体的には、例えば、第一のスイッチＳＷ１にインクリメント操作（＋）が割り当てられ、第二のスイッチＳＷ２にデクリメント操作（−）が割り当てられ、第三のスイッチＳＷ３に決定操作（選択操作）が割り当てられた場合、制御部４０は、処理部４７として機能し、各スイッチＳＷ１〜ＳＷ３に対応した処理（演算、制御）を実行する。なお、Ｓ１２での判定条件（Ｙｅｓ）が、第二の条件の一例である。また、Ｓ１１でＮｏの場合、ならびにＳ１２でＮｏの場合は、Ｓ１４に進む。
【００２３】
次に、制御部４０は、第一の計時部４５として機能し、第一のスイッチＳＷ１、第二のスイッチＳＷ２、および第三のスイッチＳＷ３の全てで、Ｓ１２でＯＫとなる入力操作の無い状態（すなわち、第二の条件を満たす受光が行われない状態）が第一の時間継続したかを判定する（Ｓ１４）。Ｓ１４でＹｅｓの場合、制御部４０は、入力操作装置３０を、操作ロックモードに設定する（Ｓ１５）。Ｓ１５では、制御部４０は、発光制御部４１として機能し、各スイッチＳＷ１〜ＳＷ３の発光素子２５が第二の周期Ｔ２で発光するよう、各スイッチＳＷ１〜ＳＷ３の発光回路２１を制御する。なお、Ｓ１４でＮｏの場合、Ｓ１１に戻る。本実施形態では、Ｓ１０〜Ｓ１４が、通常モードでの処理（演算、制御）である。
【００２４】
次に、制御部４０は、受光検知部４２として機能し、第一のスイッチＳＷ１の受光素子２６が反射光を受光したことを検知する（Ｓ１６）。受光検知部４２が、第一のスイッチＳＷ１の受光素子２６で反射光が受光されたことを検知した場合（Ｓ１６でＹｅｓ）、制御部４０は、発光制御部４１として機能し、第一のスイッチＳＷ１の発光素子２５が第二の周期Ｔ２で発光する状態から、第一の周期Ｔ１で発光素子２５が発光する状態へ切り替わるよう、第一のスイッチＳＷ１の発光回路２１を制御する（Ｓ１７）。ただし、Ｓ１７では、通常モードへ切り替わるのではなく、発光素子２５が、一時的に（例えば、所定回数（一例としては１０回）、または所定時間（一例としては２秒））、第一の周期Ｔ１で発光するよう制御される。
【００２５】
次に、制御部４０は、第二の入力検知部４４として機能し、第一のスイッチＳＷ１の受光素子２６が、反射光を所定回数（例えば３回）連続して受光（検出）したことを検知する（Ｓ１８）。Ｓ１８で、受光素子２６が反射光を所定回数連続して受光したことが検知された場合（Ｓ１８でＹｅｓ）、制御部４０は、入力操作装置３０を、通常モードに設定する（復帰させる、Ｓ１０）。このＳ１８での判定条件（Ｙｅｓ）が、第一の条件ならびに第三の条件の一例である。なお、Ｓ１８でＮｏの場合には、Ｓ１６に戻る。
【００２６】
また、Ｓ１６でＮｏの場合、制御部４０は、第二の計時部４６として機能し、操作ロックモードになってから第二の時間経過したか、すなわち、Ｓ１８でＯＫとなる入力操作の無い状態（すなわち、第三の条件を満たす受光が行われない状態）が第二の時間継続したかを判定する（Ｓ１９）。Ｓ１９でＹｅｓの場合、制御部４０は、入力操作装置３０を、スリープモードに設定する（Ｓ２０）。Ｓ２０では、制御部４０は、電源制御部４８として機能し、電源回路１６から表示装置１２および照明部１３への電源電力の供給が停止するよう、コントローラ１７，１８を制御するとともに、第二のスイッチＳＷ２ならびに第三のスイッチＳＷ３の発光が停止するよう、当該スイッチＳＷ２，ＳＷ３の発光回路２１を制御する。なお、Ｓ１９でＮｏの場合、Ｓ１６へ戻る。
【００２７】
以上のように、本実施形態では、一例として、発光制御部４１が受光素子２６（受光部）の反射光の受光状況に応じて発光素子２５（発光部）を制御することで、第一の周期Ｔ１で発光素子２５が発光する状態と、第一の周期Ｔ１より長い第二の周期Ｔ２で発光素子２５が発光する状態と、が切り替わる。よって、本実施形態によれば、一例としては、常時第一の周期Ｔ１で発光素子２５が発光する構成に比べて、入力操作装置３０の消費電力が低減されやすい。また、一例としては、発光素子２５の発光回数が減るため、発光素子２５の寿命が延びやすい。よって、一例としては、入力操作装置３０、ひいては、変換器３（電子機器）や電磁流量計１が、省電力化あるいは長寿命化されやすい。
【００２８】
また、本実施形態では、一例として、発光制御部４１は、受光素子２６で第一の条件を満たす受光が行われた場合、すなわち、Ｓ１８でＹｅｓの場合に、発光素子２５が第二の周期Ｔ２で発光している状態から第一の周期Ｔ１で発光する状態に切り替える。よって、本実施形態によれば、例えば、オペレータが発光状態を切り替える操作（覆部１１ｂ，１１ｃ，１１ｄを手指Ｆ等で覆う操作）を行っていない場合や、受光素子２６が光を誤検知した場合等に、発光状態が切り替わるのが抑制される。すなわち、一例としては、発光状態を切り替える操作の検出精度が高まりやすい。
【００２９】
また、本実施形態では、一例として、発光制御部４１は、受光素子２６で第二の条件を満たす受光が行われない状態が第一の時間継続した場合、すなわち、Ｓ１４でＹｅｓの場合に、発光素子２５が第一の周期Ｔ１で発光している状態から第二の周期Ｔ２で発光する状態に切り替える。よって、本実施形態によれば、一例としては、操作ロックモードに切り替わることにより、入力操作装置３０、ひいては、変換器３や電磁流量計１が、省電力化あるいは長寿命化されやすい。
【００３０】
また、本実施形態では、一例として、発光制御部４１は、少なくとも一つのスイッチ（第一のスイッチＳＷ１、ペア）の受光素子２６で第三の条件を満たす受光が行われない状態が第二の時間継続した場合、すなわちＳ１９でＹｅｓの場合に、当該一つスイッチ（第一のスイッチＳＷ１）の発光素子２５が第二の周期Ｔ２で発光するとともに他のスイッチ（第二のスイッチＳＷ２ならびに第三のスイッチＳＷ３）の発光素子２５の発光を停止する。よって、本実施形態によれば、一例としては、スリープモードに切り替わることにより、入力操作装置３０、ひいては、変換器３や電磁流量計１が、より省電力化あるいは長寿命化されやすい。
【００３１】
また、本実施形態では、一例として、電源制御部４８は、少なくとも一つのスイッチ（第一のスイッチＳＷ１、ペア）の受光素子２６で第三の条件を満たす受光が行われない状態が第二の時間継続した場合、すなわちＳ１９でＹｅｓの場合に、表示装置１２（出力部）ならびに照明部１３への電源電力の供給を停止する。よって、本実施形態によれば、一例としては、スリープモードに切り替わることにより、変換器３や電磁流量計１が、より一層省電力化あるいは長寿命化されやすい。
【００３２】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態は、発明の範囲や要旨に含まれるとともに、特許請求の範囲に記載された発明とその均等の範囲に含まれる。また、各構成要素のスペック（構造や、形式、種類、形状、大きさ、配置等）は、適宜に変更して実施することができる。例えば、上記実施形態では、電磁流量計が、一対の電極部が被測定流体と接触する接液型である場合を例示したが、これには限定されず、電磁流量計は、一対の電極部が被測定流体と接触しない非接液型であってもよい。また、変換器が連結部により検出器に固定された一体形を例示したが、連結部が無く変換器と検出器とが単にケーブルだけで接続される分離形であってもよい。また、出力部は、表示装置には限定されず、音声出力する装置等であってもよい。また、本発明は、電磁流量計（変換器）以外の電子機器にも適用することができる。また、上記実施形態で開示された第一の条件、第二の条件、および第三の条件は、あくまで一例であって、他の条件であってもよい。
【符号の説明】
【００３３】
１…電磁流量計、２…検出器、３…変換器（電子機器）、１２…表示装置（出力部）、１４…検出部、１５…制御回路、２５…発光素子（発光部）、２６…受光素子（受光部）、３０…入力操作装置（光学式入力操作装置）、４１…発光制御部、４７…処理部、４８…電源制御部、４９…出力制御部、ＳＷ１…第一のスイッチ（ペア）、ＳＷ２…第二のスイッチ（ペア）、ＳＷ３…第三のスイッチ（ペア）、Ｔ１…第一の周期、Ｔ２…第二の周期。
【図１】
2015041910.tif 000003
【図２】
2015041910.tif 000004
【図３】
2015041910.tif 000005
【図４】
2015041910.tif 000006
【図５】
2015041910.tif 000007
【図６】
2015041910.tif 000008
【図７】
2015041910.tif 000009
【図８】
2015041910.tif 000010
【図９】
2015041910.tif 000011